(57)【要約】【課題】吸収性コアの歪みが起こりにくい使い捨ておむつを提供する。【解決手段】外装部材の股部に取り付けられ、トップシートとバックシートとこれらの間に配された吸収性コアとを有する吸収性本体７を有する使い捨ておむつであって；吸収性コア７は、前側部１０Ｆと後側部１０Ｂが中央部１０Ｃよりも幅広に形成され、前側中間部１０ＦＭと後側中間部１０ＢＭがそれぞれ中央部１０Ｃから前側部１０Ｆまたは後側部１０Ｂに向かって幅が漸増するように形成され；バックシートと外装部材との接着領域は、前側接着領域１６Ｆと後側接着領域１６Ｂが中央接着領域１６Ｃよりも幅広に形成され、中央接着領域１６Ｃが、中央部１０Ｃよりも幅方向ｘの外方に延在するとともに、幅方向ｘの外縁が前側中間部１０ＦＭおよび／または後側中間部１０ＢＭの幅方向ｘの外縁を横切るように形成されている。【選択図】図４
2015173894.tif 000002
【特許請求の範囲】
【請求項１】
前腹部と後背部とこれらの間に位置する股部とを有する外装部材と、
前記外装部材の股部に取り付けられ、トップシートとバックシートとこれらの間に配された吸収性コアを有する吸収性本体とを有する使い捨ておむつであって、
前記吸収性コアは、前後方向の前側から、前側部と前側中間部と中央部と後側中間部と後側部とを有し、前側部と後側部は中央部よりも幅広に形成され、前側中間部と後側中間部はそれぞれ中央部から前側部または後側部に向かって幅が漸増するように形成され、
前記バックシートは前記外装部材と接着領域で固定され、前記接着領域は、前記前側部と重なって形成された前側接着領域と、前記後側部と重なって形成された後側接着領域と、これらの間に形成され、前記中央部から前記前側中間部および／または前記後側中間部にかけて重なって形成された中央接着領域とを有し、
前記前側接着領域と前記後側接着領域は、前記中央接着領域よりも幅広に形成され、
前記中央接着領域は、前記中央部よりも幅方向の外方に延在するとともに、幅方向の外縁が前記前側中間部および／または前記後側中間部の幅方向の外縁を横切るように形成されていることを特徴とする使い捨ておむつ。
【請求項２】
前記中央接着領域の幅方向の外方には、前記吸収性コアと重なって非接着領域が形成され、
前記非接着領域は、前記吸収性コアの前側に形成される前側非接着領域よりも後側に形成される後側非接着領域の方が、前後方向に長く形成されている請求項１に記載の使い捨ておむつ。
【請求項３】
前記中央接着領域は、複数に分割して設けられている請求項１または２に記載の使い捨ておむつ。
【請求項４】
前記トップシートの幅方向の両側に立ち上がりフラップが設けられ、
前記中央接着領域は、前記立ち上がりフラップの立ち上がる起点となる基部よりも幅方向の外方に延在している請求項１〜３のいずれか一項に記載の使い捨ておむつ。
【請求項５】
前記立ち上がりフラップは、前記トップシートの幅方向の両側に設けられたサイドシートが折り返されることにより形成され、
前記サイドシートは、前記トップシートに接合された固定部と、前記固定部の幅方向の内方端から幅方向の外方に折り返された起立部を有する請求項４に記載の使い捨ておむつ。
【請求項６】
前記外装部材は、ウェスト開口部と一対の脚開口部を有するパンツ形状に形成され、
前記外装部材には、前記脚開口部の前側の縁に沿って延び、前記吸収性コアの中央部を幅方向に横切って延びる前側脚部弾性部材と、前記脚開口部の後側の縁に沿って延び、前記吸収性コアの中央部を幅方向に横切って延びる後側脚部弾性部材とが設けられ、
前記前側脚部弾性部材と前記後側脚部弾性部材は、前記中央接着領域と重なる部分で断続的に設けられ、それ以外の部分で連続的に設けられている請求項１〜５のいずれか一項に記載の使い捨ておむつ。
【発明の詳細な説明】
【技術分野】
【０００１】
本発明は、幼児用または大人用の使い捨ておむつに関するものである。
【背景技術】
【０００２】
従来、様々な使い捨ておむつが知られており、尿等の横漏れを起こりにくくするための様々な工夫がなされている。例えば、特許文献１には、吸収性コアを有する吸収体が外装体に取り付けられ、吸収体と外装体との接着領域の幅方向の長さが３つ以上異なるように形成された吸収性物品が開示されている。特許文献１に開示された吸収性物品では、接着領域の幅を細かく設定することにより、吸収性コア等を身体に密着させることができ、尿等の横漏れを防ぐことができる。
【先行技術文献】
【特許文献】
【０００３】
【特許文献１】特開２００５−０８７６２２号公報
【発明の概要】
【発明が解決しようとする課題】
【０００４】
ところで使い捨ておむつは、着用の際に股部が着用者の両脚に挟まれるため、着用者の両脚の動きによって、股部に設けられた吸収性コアが歪みやすくなる。そして、吸収性コアが歪むことにより、吸収性コアの着用者の股間へのフィット性が低下し、尿等の漏れが起こりやすくなる。そのため、使い捨ておむつにおいては、吸収性コアの歪みができるだけ起こらないようにすることが望ましい。本発明は前記事情に鑑みてなされたものであり、その目的は、吸収性コアの歪みが起こりにくい使い捨ておむつを提供することにある。
【課題を解決するための手段】
【０００５】
前記課題を解決することができた本発明の使い捨ておむつとは、前腹部と後背部とこれらの間に位置する股部とを有する外装部材と、外装部材の股部に取り付けられ、トップシートとバックシートとこれらの間に配された吸収性コアを有する吸収性本体とを有する使い捨ておむつであって；吸収性コアは、前後方向の前側から、前側部と前側中間部と中央部と後側中間部と後側部とを有し、前側部と後側部は中央部よりも幅広に形成され、前側中間部と後側中間部はそれぞれ中央部から前側部または後側部に向かって幅が漸増するように形成され；バックシートは外装部材と接着領域で固定され、接着領域は、前側部と重なって形成された前側接着領域と、後側部と重なって形成された後側接着領域と、これらの間に形成され、中央部から前側中間部および／または後側中間部にかけて重なって形成された中央接着領域とを有し；前側接着領域と後側接着領域は、中央接着領域よりも幅広に形成され；中央接着領域は、中央部よりも幅方向の外方に延在するとともに、幅方向の外縁が前側中間部および／または後側中間部の幅方向の外縁を横切るように形成されているところに特徴を有する。
【０００６】
本発明の使い捨ておむつは、上記のように吸収性本体のバックシートと外装部材との接着領域を設けることにより、中央接着領域の幅方向の外方に、吸収性コアの前側中間部および／または後側中間部と重なって、非接着領域が形成されることとなる。そのため、着用者の両脚の動きによって吸収性本体が力を受けて歪んでも、その歪みが非接着領域で吸収され、吸収性コアの歪みが起こりにくくなる。その結果、吸収性コアの着用者の股間へのフィット性が高まり、尿等の漏れが起こりにくくなる。
【０００７】
中央接着領域の幅方向の外方に吸収性コアと重なって形成される非接着領域は、吸収性コアの前側に形成される前側非接着領域よりも後側に形成される後側非接着領域の方が、前後方向に長く形成されていることが好ましい。使い捨ておむつは、前側よりも後側の方が着用者の臀部によって強く圧迫されやすく、吸収性本体の歪みも起こりやすい。そのため、後側非接着領域を前側非接着領域よりも前後方向に長く形成することにより、より効果的に吸収性コアの歪みを抑えることができる。
【０００８】
中央接着領域は、複数に分割して設けられていてもよい。中央接着領域が複数に分割して設けられていれば、吸収性本体が着用者の両脚から力を受けても、吸収性コアが中央部で歪みにくくなり、着用者の股間でのフィット性を高めることができる。
【０００９】
トップシートの幅方向の両側には立ち上がりフラップが設けられ、中央接着領域は、立ち上がりフラップの立ち上がる起点となる基部よりも幅方向の外方に延在していることが好ましい。このように立ち上がりフラップが設けられれば、吸収性本体が立ち上がりフラップの基部で捲れ上がりにくくなり、立ち上がりフラップが幅方向の内方に倒れにくくなる。その結果、着用者の股間で、左右の立ち上がりフラップの間の空間が広く確保され、尿等の横漏れを防止しやすくなる。
【００１０】
中央接着領域が立ち上がりフラップの基部よりも幅方向の外方に延在する場合、立ち上がりフラップは、トップシートの幅方向の両側に設けられたサイドシートが折り返されることにより形成され、サイドシートは、トップシートに接合された固定部と、固定部の幅方向の内方端から幅方向の外方に折り返された起立部を有していることが好ましい。このように立ち上がりフラップが形成されていれば、中央接着領域が立ち上がりフラップの基部よりも幅方向の外方に延在することにより、吸収性本体が立ち上がりフラップの基部で捲れ上がりにくくなり、起立部が幅方向の内方に倒れずに、幅方向の外方に立ち上がりやすくなる。
【００１１】
外装部材は、ウェスト開口部と一対の脚開口部を有するパンツ形状に形成され、外装部材には、脚開口部の前側の縁に沿って延び、吸収性コアの中央部を幅方向に横切って延びる前側脚部弾性部材と、脚開口部の後側の縁に沿って延び、吸収性コアの中央部を幅方向に横切って延びる後側脚部弾性部材とが設けられ、前側脚部弾性部材と後側脚部弾性部材は、中央接着領域と重なる部分で断続的に設けられ、それ以外の部分で連続的に設けられていることが好ましい。このように脚部弾性部材を設けることにより、吸収性コアが歪みにくくなる。また、脚部弾性部材による収縮力が吸収性コアの近傍まで及ぶため、吸収性コアが着用者に向かって持ち上げられて、吸収性コアの着用者の股間でのフィット性が高まる。
【発明の効果】
【００１２】
本発明の使い捨ておむつは、中央接着領域が、吸収性コアの中央部よりも幅方向の外方に延在するとともに、中央接着領域の幅方向の外縁が、吸収性コアの前側中間部および／または後側中間部の幅方向の外縁を横切るように形成されているため、着用者の両脚の動きによって吸収性本体が力を受けて歪んでも、その歪みが吸収性コアまで及びにくくなる。その結果、吸収性コアの着用者の股間へのフィット性が高まり、尿等の漏れが起こりにくくなる。
【図面の簡単な説明】
【００１３】
【図１】本発明の使い捨ておむつの一例を表し、使い捨てパンツ型おむつの斜視図を表す。
【図２】図１に示した使い捨ておむつの前腹部と後背部との接合を解いて展開した状態を肌側面から見た平面図を表す。
【図３】図１に示した使い捨ておむつの前腹部と後背部との接合を解いて展開した状態を外側面から見た平面図を表す。
【図４】図３に示した使い捨ておむつの吸収性本体の平面図を表す。
【図５】図２および図３に示した使い捨ておむつのＶ−Ｖ断面図を表す。
【発明を実施するための形態】
【００１４】
本発明の使い捨ておむつについて、図面を参照して説明する。なお本発明は、図面に示された実施態様に限定されるものではない。
【００１５】
図１〜図５には、本発明の使い捨ておむつの一例として、使い捨てパンツ型おむつを示した。図１は使い捨てパンツ型おむつの斜視図を表し、図２は、図１に示した使い捨ておむつの前腹部と後背部との接合を解いて平面に展開した状態を肌側面から見た図を表し、図３は、図１に示した使い捨ておむつの前腹部と後背部との接合を解いて平面に展開した状態を外側面から見た図を表し、図４は、図３に示した使い捨ておむつの吸収性本体を取り出して外側面から見た平面図を表し、図５は、図２および図３に示した使い捨ておむつのＶ−Ｖ断面図を表す。なお図面では、矢印ｘが幅方向、矢印ｙが前後方向を表し、矢印ｘ，ｙにより形成される面に対して垂直方向が厚み方向ｚを表す。
【００１６】
使い捨ておむつ１は、前腹部Ｐと後背部Ｑとこれらの間に位置する股部Ｒとから構成された外装部材２を有する。図面に示した使い捨ておむつ１では、外装部材２はウェスト開口部３と一対の脚開口部４を有し、パンツ形状に形成されている。ウェスト開口部３は着用者の胴を通すための開口であり、脚開口部４は着用者の脚を通すための開口である。
【００１７】
外装部材２において、前腹部Ｐは、おむつを着用の際に着用者の腹側に当てる部分に相当し、後背部Ｑは、おむつを着用の際に着用者の背側に当てる部分に相当する。股部Ｒは、前腹部Ｐと後背部Ｑとの間に位置し、着用者の股間に当てる部分に相当する。股部Ｒは、外装部材２を前後方向に３分割した中間に位置する部分であり、パンツ形状に形成された場合に幅方向ｘの両側で互いに接合されない。使い捨ておむつがパンツ型おむつの場合、外装部材２は、例えば、前腹部Ｐと後背部Ｑとを幅方向ｘの両端の接合部１１で接合することによりパンツ形状に形成される。
【００１８】
使い捨ておむつにおいて、前後方向ｙとは、前腹部Ｐから後背部Ｑにかけての方向を意味し、おむつを着用した際の着用者の股間の前後方向に相当する。幅方向ｘとは、おむつを着用した際の着用者の左右方向に相当する。使い捨ておむつの肌側面とは、おむつを着用した際、着用者の肌に向く側の面を意味する。使い捨ておむつの外側面とは、おむつを着用した際、着用者とは反対側を向く面を意味する。
【００１９】
外装部材２は、１層のみから構成されていてもよく、複数層から構成されていてもよい。好ましくは、外装部材２は、外側シート５と、外側シート５の肌側面に積層された内側シート６から構成される。
【００２０】
外装部材２の股部Ｒには、吸収性本体７が取り付けられている。吸収性本体７は、トップシート８とバックシート９とこれらの間に配された吸収性コア１０を有する（図５を参照）。トップシート８は吸収性コア１０よりも着用者側に配され、バックシート９は吸収性コア１０よりも外側（着用者の反対側）に配される。吸収性本体７は、バックシート９が外装部材２の肌側面に取り付けられる。吸収性本体７は、外装部材２の少なくとも股部Ｒに存在すればよく、さらに前腹部Ｐおよび／または後背部Ｑに延在してもよい。吸収性本体７は、例えば、図２〜図４に示されるように略長方形に形成されたり、あるいは略砂時計形に形成されればよい。
【００２１】
吸収性本体７には、幅方向ｘの両側に立ち上がりフラップ１２が設けられることが好ましい（図２および図５を参照）。立ち上がりフラップ１２を設けることにより、尿等の排泄物の横漏れを防ぐことができる。立ち上がりフラップ１２は、トップシート８の幅方向ｘの両側に設けられることが好ましく、これにより着用者から排泄された尿等が、立ち上がりフラップ１２の間で液溜まりなどを形成することなく、トップシート８を透過して吸収性コア１０に速やかに吸収されやすくなる。
【００２２】
立ち上がりフラップ１２は、例えば、トップシート８の幅方向ｘの両側に、前後方向ｙに延在するサイドシート１４を接合し、サイドシート１４の幅方向ｘの内方端に起立用弾性部材１５を設けることにより形成される（図５を参照）。このようにサイドシート１４と起立用弾性部材１５を設けることで、起立用弾性部材１５の収縮力によりサイドシート１４の幅方向ｘの内方が着用者の肌に向かって立ち上がり、立ち上がりフラップ１２が形成されやすくなる。立ち上がりフラップ１２またはサイドシート１４は、液不透過性のプラスチックフィルムや液不透過性の不織布等により構成されることが好ましい。
【００２３】
図１〜図３に示すように、外装部材２の前後方向ｙの端部には、ウェスト開口部３の縁に沿って、複数の腰部弾性部材１９が設けられることが好ましい。腰部弾性部材１９により着用者の腰周りに沿ったウェストギャザーが形成され、背中側や腹部側からの尿等の排泄物の漏れが防止される。
【００２４】
外装部材２の前腹部Ｐと後背部Ｑには、幅方向ｘに延びる複数の胴部弾性部材２０が設けられることが好ましい。胴部弾性部材２０は、腰部弾性部材１９と脚開口部４の間に、腰部弾性部材１９よりも広い間隔で配されることが好ましく、胴部弾性部材２０により、着用者の胴周りのフィット性が高められる。
【００２５】
外装部材２には、脚開口部４の縁に沿って、脚部弾性部材１８が設けられることが好ましい。特に、本発明の使い捨ておむつがパンツ型おむつである場合、このように脚部弾性部材１８が設けられることが好ましい。図面では、脚部弾性部材１８は、脚開口部４の前側の縁に沿って設けられる前側脚部弾性部材１８Ｆと、脚開口部４の後側の縁に沿って設けられる後側脚部弾性部材１８Ｂとから構成されている。前側脚部弾性部材１８Ｆと後側脚部弾性部材１８Ｂとにより、脚開口部４の縁のほぼ全周にわたり弾性部材が設けられる。脚部弾性部材１８により、着用者の脚周りに沿ったレッグギャザーが形成され、股部からの尿等の排泄物の漏れが防止される。図面では、前側脚部弾性部材１８Ｆと後側脚部弾性部材１８Ｂが互いに離間して設けられているが、前側脚部弾性部材１８Ｆと後側脚部弾性部材１８Ｂは互いに接していたり交差していてもよい。
【００２６】
外装部材２に設けられる脚部弾性部材１８、腰部弾性部材１９、胴部弾性部材２０については、図面に示すように外装部材２が外側シート５と内側シート６とから構成されている場合は、外側シート５と内側シート６の間に配されることが好ましい。
【００２７】
使い捨ておむつに設けられる各弾性部材としては、ポリウレタン糸、ポリウレタンフィルム、天然ゴム等の通常の使い捨ておむつに用いられる弾性伸縮材料を用いることができる。各弾性部材は、伸張状態でおむつに固定されることが好ましく、また、ホットメルト接着剤等の接着剤で固定されることが好ましい。例えば、繊度４０〜１，２４０ｄｔｅｘのポリウレタン糸を、倍率１．１〜５．０倍に伸張して配設し、固定する。接着剤としては、ゴム系のホットメルト接着剤を用いることが好ましい。なお、前記倍率は、非伸張状態を１．０倍とする。
【００２８】
ところで、使い捨ておむつは、着用の際に股部が着用者の両脚に挟まれるため、着用者の両脚の動きによって、股部に設けられた吸収性本体、特に吸収性コアが歪みやすくなる。そして、吸収性コアが歪むことにより、吸収性コアの着用者の股間へのフィット性が低下し、尿等の漏れが起こりやすくなる。パンツ型おむつにおいては特に、おむつの股部が着用者の両脚から圧迫を受けやすく、吸収性コアの歪みが起こりやすい。そのため、使い捨ておむつにおいては、吸収性コアの歪みができるだけ起こらないようにすることが望まれる。
【００２９】
そこで本発明の使い捨ておむつは、吸収性コア１０を略砂時計形に形成するとともに、吸収性本体７のバックシート９を外装部材２に固定する接着領域１６を、図３および図４に示すように、前後方向ｙに前側接着領域１６Ｆと後側接着領域１６Ｂとこれらの間の中央接着領域１６Ｃに区分し、中央接着領域１６Ｃを前側接着領域１６Ｆと後側接着領域１６Ｂよりも幅狭に形成するとともに、吸収性コア１０の略砂時計形のくびれ部よりも幅広に形成し、中央接着領域１６Ｃの幅方向ｘの外縁が吸収性コア１０の略砂時計形の傾斜縁部を横切るように形成している。本発明の使い捨ておむつは、このように形成することにより、着用者の両脚の動きによって吸収性コア１０が歪みにくくなる。具体的には、中央接着領域１６Ｃを前側接着領域１６Ｆと後側接着領域１６Ｂよりも幅狭に形成し、かつ吸収性コア１０のくびれ部よりも幅広に形成することで、吸収性コア１０が、着用者の両脚から力を受けやすいくびれ部で捲れ上がりにくくなる。また、吸収性コア１０のくびれ部よりも前後方向ｙの外方かつ中央接着領域１６Ｃの幅方向ｘの外方に、吸収性コア１０と重なって非接着領域１７が形成されるため、着用者の両脚から吸収性本体７が力を受けて歪んでも、その歪みが非接着領域１７で吸収され、吸収性コア１０の歪みが起こりにくくなる。その結果、吸収性コア１０の着用者の股間へのフィット性が高まり、尿等の漏れが起こりにくくなる。以下、吸収性コア１０や接着領域１６について、詳しく説明する。
【００３０】
吸収性コア１０は、前後方向ｙの前側から、前側部１０Ｆと前側中間部１０ＦＭと中央部１０Ｃと後側中間部１０ＢＭと後側部１０Ｂとを有する。すなわち吸収性コア１０は、前後方向ｙに、前側部１０Ｆと後側部１０Ｂとこれらの間に位置する中央部１０Ｃを有し、前側部１０Ｆと中央部１０Ｃの間に前側中間部１０ＦＭが形成され、後側部１０Ｂと中央部１０Ｃの間に後側中間部１０ＢＭが形成される。吸収性コア１０は、前側部１０Ｆと後側部１０Ｂが中央部１０Ｃよりも幅広に形成され、前側中間部１０ＦＭと後側中間部１０ＢＭはそれぞれ中央部１０Ｃから前側部１０Ｆまたは後側部１０Ｂに向かって幅が漸増するように形成されている。このように吸収性コア１０が形成されることにより、吸収性コア１０は略砂時計形に形成される。そして、吸収性コア１０が略砂時計形に形成されることにより、吸収性コア１０は中央部１０Ｃで着用者の両脚から圧迫されにくくなり、おむつを着用した際に吸収性コア１０が歪みにくくなる。
【００３１】
吸収性コア１０において、中央部１０Ｃが略砂時計形のくびれ部に相当し、前側中間部１０ＦＭと後側中間部１０ＢＭの幅方向ｘの外縁が略砂時計形の傾斜縁部に相当する。吸収性コア１０は、前側部１０Ｆおよび／または後側部１０Ｂが幅方向ｘに最も広く形成され、中央部１０Ｃが幅方向ｘに最も狭く形成される。前側部１０Ｆと後側部１０Ｂは幅方向ｘの長さが同じであっても異なっていてもよく、図面では前側部１０Ｆと後側部１０Ｂが略同幅に形成されている。吸収性コア１０は、幅方向ｘの外縁が、前側中間部１０ＦＭにおいて中央部１０Ｃから前側部１０Ｆに向かって幅方向ｘの外方に広がるように形成され、後側中間部１０ＢＭにおいて中央部１０Ｃから後側部１０Ｂに向かって幅方向ｘの外方に広がるように形成されている。なお、前側部１０Ｆは前側中間部１０ＦＭに向かって、後側部１０Ｂは後側中間部１０ＢＭに向かって、それぞれ幅方向ｘの長さが実質的に変化しないように形成されていることが好ましい。中央部１０Ｃは、前側中間部１０ＦＭと後側中間部１０ＢＭの間で、幅方向ｘの長さが実質的に変化しないように形成されていることが好ましい。
【００３２】
吸収性コア１０は、中央部１０Ｃと前側中間部１０ＦＭと後側中間部１０ＢＭが股部Ｒのみに位置することが好ましい。中央部１０Ｃは、外装部材２の股部Ｒの最も幅狭な部分を横切るようにして前後方向ｙに延在していることが好ましい。前側部１０Ｆと後側部１０Ｂは、少なくとも股部Ｒに位置することが好ましく、さらに前腹部Ｐおよび／または後背部Ｑに延在してもよい。また、吸収性本体７は外装部材２よりも全体にわたって幅狭に形成されることが好ましい。
【００３３】
吸収性本体７のバックシート９は、外装部材２と接着領域１６で固定される。接着領域１６は、バックシート９の外側面や外装部材２の肌側面に接着剤が塗布されることにより形成される。接着剤としては、ホットメルト接着剤を用いることが製造上簡便であるが、これに限定されない。接着剤は、接着領域１６に全面塗布されてもよいし、接着領域１６に網状やストライプ状や散点状に塗布されてもよい。後者の場合、接着剤は、接着領域１６において所定のパターンで均一に塗布されることが好ましい。接着剤を網状に塗布する場合は、カーテンスプレー法、スパイラルコーティング法、オメガコーティング法等により接着剤を塗布すればよい。
【００３４】
接着領域１６は、前側部１０Ｆと重なって形成された前側接着領域１６Ｆと、後側部１０Ｂと重なって形成された後側接着領域１６Ｂと、これらの間に形成され、中央部１０Ｃから前側中間部１０ＦＭおよび／または後側中間部１０ＢＭにかけて重なって形成された中央接着領域１６Ｃとを有し、前側接着領域１６Ｆと後側接着領域１６Ｂは中央接着領域１６Ｃよりも幅広に形成されている。接着領域１６は、中央接着領域１６Ｃが前側接着領域１６Ｆおよび／または後側接着領域１６Ｂと繋がって形成されてもよく、分離して形成されてもよい。各接着領域１６は略矩形に形成されることが好ましく、このように接着領域１６が形成されることにより、吸収性コア１０の角部、特に吸収性コア１０の前側部１０Ｆと後側部１０Ｂの前後方向ｙかつ幅方向ｘの端部で、吸収性コア１０が捲れ上がりにくくなる。
【００３５】
中央接着領域１６Ｃは、吸収性コア１０の中央部１０Ｃよりも幅方向ｘの外方に延在している。すなわち、中央接着領域１６Ｃは、中央部１０Ｃと重なって設けられるとともに、中央部１０Ｃよりも幅方向ｘの外方に延在するように設けられる。このように中央接着領域１６Ｃが設けられることにより、吸収性コア１０の中央部１０Ｃが着用者の両脚から力を受けても、中央部１０Ｃが捲れ上がりにくくなる。なお中央接着領域１６Ｃは、幅方向ｘの外縁が、吸収性本体７の幅方向ｘの外縁よりも内方に位置するように設けられる。中央接着領域１６Ｃは、例えば、中央部１０Ｃよりも幅方向ｘの外方に１ｍｍ以上（より好ましくは２ｍｍ以上であり、さらに好ましくは３ｍｍ以上）延在していることが好ましく、５０ｍｍ以下（より好ましくは４０ｍｍ以下であり、さらに好ましくは３５ｍｍ以下）延在していることが好ましい。中央接着領域１６Ｃは、前側接着領域１６Ｆと後側接着領域１６Ｂよりも幅狭に形成されているため、吸収性本体７は中央接着領域１６Ｃの幅方向ｘの外方が外装部材２と接着されないこととなる。そのため、外装部材２の歪みが吸収性本体７に伝わりにくくなり、吸収性コア１０の歪み防止にもつながる。
【００３６】
中央接着領域１６Ｃは、幅方向ｘの外縁が前側中間部１０ＦＭおよび／または後側中間部１０ＢＭの幅方向ｘの外縁を横切るように形成されている。すなわち、中央部１０Ｃよりも幅広に形成された中央接着領域１６Ｃは、中央部１０Ｃから前側中間部１０ＦＭおよび／または後側中間部１０ＢＭにかけて延在するため、幅方向ｘの外縁が前側中間部１０ＦＭおよび／または後側中間部１０ＢＭの幅方向ｘの外縁を横切るように形成されることとなる。
【００３７】
中央接着領域１６Ｃの幅方向ｘの外方には、吸収性コア１０の少なくとも前側中間部１０ＦＭおよび／または後側中間部１０ＢＭと重なって非接着領域１７が形成されている。非接着領域１７では、バックシート９と外装部材２が接着されず、バックシート９と外装部材２の間に隙間が形成されている。このように非接着領域１７が形成されることにより、吸収性本体７が着用者の両脚から力を受けて歪んでも、その歪みが非接着領域１７で吸収され、吸収性コア１０の歪みが起こりにくくなる。その結果、吸収性コア１０の着用者の股間へのフィット性が高まり、尿等の漏れが起こりにくくなる。
【００３８】
非接着領域１７は、吸収性コア１０の前側に形成される前側非接着領域１７Ｆおよび／または吸収性コア１０の後側に形成される後側非接着領域１７Ｂからなる。前側非接着領域１７Ｆは、少なくとも前側中間部１０ＦＭと重なって形成され、さらに前側部１０Ｆと重なるように延在していてもよい。前側非接着領域１７Ｆは、前側接着領域１６Ｆよりも後側に形成され、吸収性コア１０と重なる部分として規定される。後側非接着領域１７Ｂは、少なくとも後側中間部１０ＢＭと重なって形成され、さらに後側部１０Ｂと重なるように延在していてもよい。後側非接着領域１７Ｂは、後側接着領域１６Ｂよりも前側に形成され、吸収性コア１０と重なる部分として規定される。
【００３９】
非接着領域１７は、前側非接着領域１７Ｆよりも後側非接着領域１７Ｂの方が、前後方向ｙに長く形成されていることが好ましい。使い捨ておむつは、前側よりも後側の方が着用者の臀部によって強く圧迫されやすく、吸収性本体７の歪みも起こりやすい。そのため、後側非接着領域１７Ｂを前側非接着領域１７Ｆよりも前後方向ｙに長く形成することによって、より効果的に吸収性コア１０の歪みを抑えることができる。また、吸収性コア１０の対角方向への縒れが起こりにくくなる。この場合、前側非接着領域１７Ｆの前後方向ｙの長さは、例えば、後側非接着領域１７Ｂの前後方向ｙの長さの５０％以下となればよい。なお、前側非接着領域１７Ｆよりも後側非接着領域１７Ｂの方が前後方向ｙに長く形成される態様には、前側非接着領域１７Ｆが形成されない態様も含まれる。
【００４０】
非接着領域１７の大きさは特に限定されない。非接着領域１７の幅方向ｘの長さは、例えば、１５ｍｍ超が好ましく、１８ｍｍ以上がより好ましく、２０ｍｍ以上がさらに好ましく、また１００ｍｍ以下が好ましく、８０ｍｍ以下がより好ましく、６０ｍｍ以下がさらに好ましい。非接着領域１７の前後方向ｙの長さは、例えば、１０ｍｍ以上が好ましく、１５ｍｍ以上がより好ましく、２０ｍｍ以上がさらに好ましく、また１２５ｍｍ以下が好ましく、１００ｍｍ以下がより好ましく、８０ｍｍ以下がさらに好ましい。このように非接着領域１７が形成されれば、吸収性本体７の歪みが非接着領域１７で効果的に吸収され、吸収性コア１０の歪みが起こりにくくなる。なお、前側非接着領域１７Ｆは設けなくてもよい。
【００４１】
前側接着領域１６Ｆと後側接着領域１６Ｂは、中央接着領域１６Ｃよりも幅広かつ吸収性本体７と同幅以下に形成されていればよい。なお前側接着領域１６Ｆと後側接着領域１６Ｂは吸収性コア１０の前側部１０Ｆと後側部１０Ｂとできるだけ広い面積で重なるように形成されることが好ましく、これにより吸収性コア１０の前側部１０Ｆと後側部１０Ｂが捲れ上がりにくくなる。前側接着領域１６Ｆは、幅方向ｘの外縁が吸収性コア１０の前側部１０Ｆの幅方向ｘの外縁より外方に位置するか、内方に１５ｍｍ以内に位置することが好ましい。後側接着領域１６Ｂは、幅方向ｘの外縁が吸収性コア１０の後側部１０Ｂの幅方向ｘの外縁より外方に位置するか、内方に１５ｍｍ以内に位置することが好ましい。
【００４２】
前側接着領域１６Ｆの前後方向ｙの長さは、吸収性コア１０の前側部１０Ｆの前後方向ｙの長さの２０％以上であることが好ましく、５０％以上であることがより好ましい。後側接着領域１６Ｂの前後方向ｙの長さは、吸収性コア１０の後側部１０Ｂの前後方向ｙの長さの２０％以上であることが好ましく、５０％以上であることがより好ましい。このように前側接着領域１６Ｆと後側接着領域１６Ｂを形成することにより、吸収性コア１０の前側部１０Ｆと後側部１０Ｂが捲れ上がりにくくなる。
【００４３】
前側接着領域１６Ｆは、前側部１０Ｆから前側中間部１０ＦＭにかけて重なって形成されてもよく、後側接着領域１６Ｂは、後側部１０Ｂから後側中間部１０ＢＭにかけて重なって形成されてもよい。なお、非接着領域１７をできるだけ広く形成する点から、前側接着領域１６Ｆは前側部１０Ｆのみと重なって設けてもよく、後側接着領域１６Ｂは後側部１０Ｂのみと重なって設けてもよい。また、非接着領域１７を広く形成する点から、中央接着領域１６Ｃはさらに前側部１０Ｆおよび／または後側部１０Ｂにかけて重なって形成されていてもよい。前側非接着領域１７Ｆよりも後側非接着領域１７Ｂの方を前後方向ｙに長く形成する場合は、前側接着領域１６Ｆを前側部１０Ｆのみと重なって設け、後側接着領域１６Ｂを後側部１０Ｂから後側中間部１０ＢＭにかけて重なるように設けてもよい。
【００４４】
各接着領域１６は複数に分割して設けられてもよい。特に、中央接着領域１６Ｃが複数に分割して設けられていれば、吸収性本体７が着用者の両脚から力を受けても、吸収性コア１０が中央部１０Ｃで歪みにくくなる。中央接着領域１６Ｃは、幅方向ｘに２分割して設けられるか、前後方向ｙに２分割して設けられることが好ましく、このように中央接着領域１６Ｃを設けることにより、吸収性本体７が中央部１０Ｃでしっかりと固定されるとともに、吸収性コア１０が中央部１０Ｃで歪みにくくなる。なお、接着領域１６が複数に分割して設けられる場合、分割された各接着領域１６は互いに離間して設けられる。
【００４５】
外装部材２に脚部弾性部材１８が設けられる場合、脚部弾性部材１８は中央接着領域１６Ｃと重なる部分で断続的に設けられることが好ましい（図３を参照）。この場合、外装部材２に、脚開口部４の前側の縁に沿って延び、吸収性コア１０の中央部１０Ｃを幅方向ｘに横切って延びる前側脚部弾性部材１８Ｆと、脚開口部４の後側の縁に沿って延び、吸収性コア１０の中央部１０Ｃを幅方向ｘに横切って延びる後側脚部弾性部材１８Ｂとが設けられ、前側脚部弾性部材１８Ｆと後側脚部弾性部材１８Ｂは、中央接着領域１６Ｃと重なる部分で断続的に設けられることが好ましい。なお、それ以外の部分では、前側脚部弾性部材１８Ｆと後側脚部弾性部材１８Ｂは連続的に設けられることが好ましい。このように脚部弾性部材１８を設けることにより、吸収性コア１０が歪みにくくなる。また、脚部弾性部材１８による収縮力が吸収性コア１０の近傍まで及ぶため、吸収性コア１０が着用者に向かって持ち上げられて、吸収性コア１０の着用者の股間でのフィット性が高まる。
【００４６】
脚部弾性部材１８を中央接着領域１６Ｃと重なる部分で断続的に設ける場合、例えば、脚部弾性部材１８を外装部材２に固定した後、脚部弾性部材１８をカッター等で切断すればよい。この際、脚部弾性部材１８は、中央接着領域１６Ｃと重なる部分で複数箇所（好ましくは５箇所以上）切断することが好ましい。このようにすることで、脚部弾性部材１８を製造上簡単に断続的に設けることができる。脚部弾性部材１８が断続的に設けられた部分では、脚部弾性部材１８の収縮力が実質的に失われていることが好ましい。脚部弾性部材１８が断続的に設けられた部分は、脚部弾性部材１８が吸収性コア１０の中央部１０Ｃを横断する部分の長さの７５％以上の長さを有することが好ましい。
【００４７】
吸収性本体７のトップシート８側に立ち上がりフラップ１２が設けられる場合、図４および図５に示すように、中央接着領域１６Ｃは、立ち上がりフラップ１２の立ち上がる起点となる基部１３よりも幅方向ｘの外方に延在していることが好ましい。なお図４では、立ち上がりフラップ１２の基部１３が位置する箇所を一点鎖線で表している。このように立ち上がりフラップ１２を設けることにより、立ち上がりフラップ１２が立ち上がった際に、立ち上がりフラップ１２が幅方向ｘの内方に倒れにくくなる。すなわち、中央接着領域１６Ｃが立ち上がりフラップ１２の基部１３よりも幅方向ｘの外方に延在しているため、吸収性本体７が立ち上がりフラップ１２の基部１３で捲れ上がりにくくなり、立ち上がりフラップ１２が幅方向ｘの内方に倒れにくくなる。その結果、着用者の股間で、左右の立ち上がりフラップ１２の間の空間が広く確保され、尿等の横漏れを防止しやすくなる。
【００４８】
上記効果は、立ち上がりフラップ１２が幅方向ｘの外方に折り返されることにより、基部１３から立ち上がるように形成されている場合に、特に好適に奏功される。この場合、立ち上がりフラップ１２は、トップシート８の幅方向ｘの両側に設けられたサイドシート１４が折り返されることにより形成され、サイドシート１４が、トップシート８に接合された固定部１４Ａと、固定部１４Ａの幅方向ｘの内方端から幅方向ｘの外方に折り返された起立部１４Ｂを有することとなる。立ち上がりフラップ１２がこのように形成されていれば、中央接着領域１６Ｃが立ち上がりフラップ１２の基部１３よりも幅方向ｘの外方に延在することにより、吸収性本体７が立ち上がりフラップ１２の基部１３で捲れ上がりにくくなり、起立部１４Ｂが幅方向ｘの内方に倒れずに、幅方向ｘの外方に立ち上がりやすくなる。
【００４９】
上記の場合、立ち上がりフラップ１２は具体的に次のように形成されることが好ましい。すなわち、サイドシート１４は、起立部１４Ｂとして、固定部１４Ａの幅方向ｘの内方端から幅方向ｘの外方に折り返された第１起立部を有し、立ち上がりフラップ１２は第１起立部から形成されていることが好ましい。この場合、サイドシート１４は、幅方向ｘの外方に開いた略Ｖ字状に折り畳まれることとなる。また、サイドシート１４は、起立部１４Ｂとして、固定部１４Ａの幅方向ｘの内方端から幅方向ｘの外方に折り返された第１起立部と、第１起立部から幅方向ｘの内方に折り返された第２起立部を有し、立ち上がりフラップ１２が第１起立部と第２起立部とから形成されていることも好ましい。この場合、サイドシート１４は、略Ｚ字状に折り畳まれることとなる。なお、図面には、前者のように形成された立ち上がりフラップ１２が示されている。
【００５０】
上記には、本発明の使い捨ておむつをパンツ型おむつに適用する場合について説明したが、本発明の使い捨ておむつは、後背部の左右側端に一対の止着部材が設けられ、当該止着部材により着用時にパンツ形状に形成するオープンタイプ（テープタイプ）の使い捨ておむつであってもよい。
【００５１】
本発明の使い捨ておむつを構成する各部材の材料について説明する。トップシートは、おむつ着用の際に着用者側に位置するシートであり、液透過性であることが好ましい。トップシートとしては、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、孔が形成されたプラスチックフィルム等を用いてもよい。
【００５２】
バックシートは、おむつ着用の際に着用者とは反対側、すなわち外側に位置するシートであり、液不透過性であることが好ましい。バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。本発明において、液不透過性には撥水性の意味も含まれる。
【００５３】
立ち上がりフラップやサイドシートには、バックシートに使用可能な材料を用いればよい。
【００５４】
外装部材は、液透過性であっても液不透過性であってもよく、トップシートやバックシートに使用可能なシート材料を用いることができる。外装部材は、内側シートに外側シートが積層されて形成されることが好ましく、親水性の内側シートに液不透過性の外側シートが積層されて形成されることがより好ましい。この場合、内側シートとしてはトップシートに使用可能なシート材料を用いることができ、外側シートとしてはバックシートに使用可能なシート材料を用いることができる。
【００５５】
上記説明した各シート材料として不織布を用いる場合、不織布としては、スパンボンド不織布、エアスルー不織布、ポイントボンド不織布、メルトブロー不織布、エアレイド不織布、ＳＭＳ不織布等を用いることが好ましい。
【００５６】
吸収性コアは、尿等の排泄物を吸収できる吸収性材料を含むものであれば特に限定されない。吸収性コアとしては、例えば、吸収性材料を所定形状に成形した成形体を用いることができる。吸収性コアは、紙シート（例えば、ティッシュペーパーや薄葉紙）や液透過性不織布等のシート部材で覆われてもよい。吸収性コアに含まれる吸収性材料としては、例えば、セルロース繊維（例えば、粉砕したパルプ繊維）等の親水性繊維や、ポリアクリル酸系、ポリアスパラギン酸系、セルロース系、デンプン・アクリロニトリル系等の吸水性樹脂等が挙げられる。また、吸収性材料には、ポリエチレン、ポリプロピレン等のポリオレフィン繊維や、ＰＥＴ等のポリエステル繊維、ナイロン等のポリアミド繊維等の熱融着性繊維が含まれてもよい。これらの熱融着性繊維は、尿等の体液との親和性を高めるために、界面活性剤等により親水化処理がされていてもよい。
【００５７】
吸収性材料は、尿等の吸収速度を高める点から、親水性繊維を含むことが好ましい。また、吸収容量を高める点からは、吸収性材料は吸水性樹脂を含むことが好ましい。従って、吸収性コアは親水性繊維（特にパルプ繊維）と吸水性樹脂を含むことが好ましい。この場合、例えば、親水性繊維の集合体に吸水性樹脂を混合または散布したものを用いることが好ましい。
【００５８】
吸収性コアは、シート状吸収体であってもよい。シート状吸収体としては、不織布間に吸水性樹脂を有しパルプ繊維を有しないように形成されたものが挙げられる。このように形成されたシート状吸収体は不織布間に吸水性樹脂を有するため、高い吸収容量を実現できる。また、シート状吸収体は不織布間にパルプ繊維を有しないため、嵩張らず薄型に形成することができる。
【００５９】
シート状吸収体としては、吸収性材料として吸水性繊維を用いてもよい。この場合もまた、シート状吸収体が嵩張らず薄型に形成される。吸水性繊維としては、プロトン化または塩形成したカルボキシル基を含有する繊維が挙げられる。例えば、特公昭５２−４２９１６号公報に開示されるように、アクリル繊維を加水分解して、アクリル繊維に含まれるニトリル基をカルボキシル基に変換することにより、吸水性繊維を得ることができる。このとき、吸水性繊維に含まれるカルボキシル基は、アルカリ金属塩またはアンモニア塩を形成していることが好ましい。また吸水性繊維は、親水性繊維をアクリル酸に浸漬し、繊維表面でアクリル酸を析出させることにより製造することができる。
【符号の説明】
【００６０】
１：使い捨ておむつ
２：外装部材
３：ウェスト開口部
４：脚開口部
７：吸収性本体
８：トップシート
９：バックシート
１０：吸収性コア、１０Ｆ；前側部、１０ＦＭ：前側中間部、１０Ｃ：中央部、１０ＢＭ：後側中間部、１０Ｂ：後側部
１２：立ち上がりフラップ
１３：基部
１６：接着領域、１６Ｆ；前側接着領域、１６Ｃ：中央接着領域、１６Ｂ：後側接着領域
１７：非接着領域、１７Ｆ：前側非接着領域、１７Ｂ：後側非接着領域
１８：脚部弾性部材、１８Ｆ：前側脚部弾性部材、１８Ｂ：後側脚部弾性部材
Ｐ：前腹部
Ｑ：後背部
Ｒ：股部
【図１】
2015173894.tif 000003
【図２】
2015173894.tif 000004
【図３】
2015173894.tif 000005
【図４】
2015173894.tif 000006
【図５】
2015173894.tif 000007